(57)【要約】      （修正有）【課題】内部短絡したとしても短絡箇所において流れる電流の電流値が抑えられる蓄電素子の提供。【解決手段】互いに対向する一対の平坦部及び該一対の平坦部の端部同士を接続するターン部を有する第一の電極２１と、第一の電極２１と極性の異なり且つ一対の平坦部の間に配置される第二の電極２２と、を有する電極体２０を複数備え、複数の第一の電極２１のそれぞれは、複数の電極体２０同士を接続する接合部２４５を有する。【選択図】図４
2019096465.tif 000002
【特許請求の範囲】
【請求項１】
互いに対向する一対の平坦部及び該一対の平坦部の端部同士を接続するターン部を有する第一の電極と、
前記第一の電極と極性が異なり且つ前記一対の平坦部の間に配置される第二の電極と、を有する電極体を複数備え、
複数の前記第一の電極のそれぞれは、前記複数の電極体同士を接続する接合部を有する、蓄電素子。
【請求項２】
前記第二の電極の極性と同じである第三の電極を備え、
前記複数の電極体は、前記一対の平坦部が対向する方向に並び、
前記第三の電極は、隣り合う電極体の間に配置される、請求項１に記載の蓄電素子。
【請求項３】
導電性を有する集電部材を備え、
前記第一の電極は、電極本体と、前記電極本体から延び且つ前記接合部を構成する集電タブと、を有し、
前記集電タブは、当該集電タブを含む電極体と異なる電極体の集電タブとは非接触状態で前記集電部材に接続される、請求項１又は２に記載の蓄電素子。
【発明の詳細な説明】
【技術分野】
【０００１】
本発明は、折り返された第一の電極の内側に第二の電極が配置された電極体を備える蓄電素子に関する。
【背景技術】
【０００２】
従来から、負極電極板及び正極電極板の一方の電極板がつづら折り状に積層されているリチウムイオン二次電池（以下、単に「電池」と称する）が知られている（特許文献１参照）。具体的に、この電池は、図１２に示すように、負極電極板５０１と、正極電極板５０４と、両電極板５０１、５０４間に挿入されたセパレータ５０７とが、交互に積層されて構成された電極積層体である。
【０００３】
負極電極板５０１は、両面でセパレータ５０７と密着しており、長手方向に所定間隔で交互に折り畳まれてつづら折り状に積層された長尺の可撓性材料からなる電極板（長尺電極板と称する）である。負極の長尺電極板５０１は、銅箔５０２の両面に形成された負極活物質層５０３をもつ。
【０００４】
セパレータ５０７は、長尺の絶縁膜からなり、その厚さ方向に電荷の移動が可能な電池用セパレータである。このセパレータ５０７は、負極の長尺電極板５０１の両面に接して折り畳まれている。具体的に、セパレータ５０７は、長尺電極板５０１の銅箔５０２のうち、負極活物質層５０３の形成されている部分を両面から包み込んでいる。即ち、長尺電極板５０１とその両面を包むセパレータ５０７とは一体化して一体長尺物５０８を形成している。
【０００５】
正極電極板５０４は、両面でセパレータ５０７に密着しており、多数の互いに独立した短冊形状の電極板（短冊状電極板と称する）である。正極の各短冊状電極板５０４は、アルミニウム箔５０５の両面に形成された正極活物質層５０６をもつ。
【０００６】
そして、長尺電極板５０１とセパレータ５０７とからなる一体長尺物５０８に対し、その両側から多数の短冊状電極板５０４が交互に積層されて電池５００が構成されている。即ち、一枚の一体長尺物５０８と多数の短冊状電極板５０４との積層に際し、一体長尺物５０８はつづら折りに折り畳まれ、その間に短冊状電極板５０４が両側から挿入されて一体長尺物５０８に挟持された構造を電池５００は持っている。
【０００７】
以上の電池５００が搭載された機器の事故等によって、電池５００において負極電極板５０１と正極電極板５０４とが短絡（内部短絡）した場合、短絡箇所において大電流が流れ、大きな熱が発生する。
【先行技術文献】
【特許文献】
【０００８】
【特許文献１】特開２０１４−１０３０８２号公報
【発明の概要】
【発明が解決しようとする課題】
【０００９】
そこで、本実施形態は、内部短絡したとしても短絡箇所において流れる電流の電流値が抑えられる蓄電素子を提供することを目的とする。
【課題を解決するための手段】
【００１０】
本実施形態の蓄電素子は、
互いに対向する一対の平坦部及び該一対の平坦部の端部同士を接続するターン部を有する第一の電極と、
前記第一の電極と極性が異なり且つ前記一対の平坦部の間に配置される第二の電極と、を有する電極体を複数備え、
複数の前記第一の電極のそれぞれは、前記複数の電極体同士を接続する接合部を有する。
【００１１】
このように、複数の電極体を有することで、電極体を一つだけ有する構成に比べ、各電極体の有する第一の電極が小さくなると共に、複数の電極体の各第一の電極同士が直接又は間接に接続されたことに起因する抵抗（接触抵抗等）が接合部において生じるため、いずれかの電極体における平坦部（第一の電極）と第二の電極との間で短絡が生じても、短絡箇所において流れる電流の電流値が抑えられる。
【００１２】
前記蓄電素子では、
前記第二の電極の極性と同じである第三の電極を備え、
前記複数の電極体は、前記一対の平坦部が対向する方向に並び、
前記第三の電極は、隣り合う電極体の間に配置されてもよい。
【００１３】
かかる構成によれば、隣り合う電極体の間に第二の電極と同じ極性の第三の電極が配置されているため、隣り合う電極体のそれぞれにおける相手側部材（他方の電極体）と対向する部位を蓄電素子の充放電に寄与させることができ、これにより、蓄電素子のエネルギー密度をより向上させることができる。
【００１４】
また、前記蓄電素子では、
導電性を有する集電部材を備え、
前記第一の電極は、電極本体と、前記電極本体から延び且つ前記接合部を構成する集電タブと、を有し、
前記集電タブは、当該集電タブを含む電極体と異なる電極体の集電タブとは非接触状態で前記集電部材に接続されてもよい。
【００１５】
このように、異なる電極体の第一の電極同士が、集電部材を介して間接的に導通することで、異なる電極体の第一の電極間に複数の接触抵抗が存在することとなるため、平坦部（第一の電極）と第二の電極との間で短絡が生じても、異なる電極体の第一の電極同士が集電タブ等で直接導通する構成（第一の電極間の接触抵抗が一つの場合）に比べ、短絡箇所において流れる電流の電流値が抑えられる。
【発明の効果】
【００１６】
以上より、本実施形態によれば、内部短絡したとしても短絡箇所において流れる電流の電流値が抑えられる蓄電素子を提供することができる。
【図面の簡単な説明】
【００１７】
【図１】図１は、本実施形態に係る蓄電素子の斜視図である。
【図２】図２は、前記蓄電素子の分解斜視図である。
【図３】図３は、図１のＩＩＩ−ＩＩＩ位置の断面図である。
【図４】図４は、電極群を説明するための斜視図である。
【図５】図５は、図４のＶ−Ｖ位置における断面模式図である。
【図６】図６は、負極を説明するための図である。
【図７】図７は、つづら折り状態の負極の構成を説明するための図である。
【図８】図８は、折り返し部を説明するための斜視図である。
【図９】図９は、正極及びセパレータを含む第一の短冊状部材及び第二の短冊状部材を説明するための図である。
【図１０】図１０は、他実施形態に係る電極群の構成を示す模式図である。
【図１１】図１１は、前記蓄電素子を備える蓄電装置の模式図である。
【図１２】図１２は、従来の電池の積層構成を模式的に示す断面図である。
【発明を実施するための形態】
【００１８】
以下、本発明に係る蓄電素子の一実施形態について、図１〜図９を参照しつつ説明する。蓄電素子には、一次電池、二次電池、キャパシタ等がある。本実施形態では、蓄電素子の一例として、充放電可能な二次電池について説明する。尚、本実施形態の各構成部材（各構成要素）の名称は、本実施形態におけるものであり、背景技術における各構成部材（各構成要素）の名称と異なる場合がある。
【００１９】
本実施形態の蓄電素子は、非水電解質二次電池である。より詳しくは、蓄電素子は、リチウムイオンの移動に伴って生じる電子移動を利用したリチウムイオン二次電池である。この種の蓄電素子は、電気エネルギーを供給する。蓄電素子は、単一又は複数で使用される。具体的に、蓄電素子は、要求される出力及び要求される電圧が小さいときには、単一で使用される。一方、蓄電素子は、要求される出力及び要求される電圧の少なくとも一方が大きいときには、他の蓄電素子と組み合わされて蓄電装置に用いられる。前記蓄電装置では、該蓄電装置に用いられる蓄電素子が電気エネルギーを供給する。
【００２０】
蓄電素子は、図１〜図３に示すように、電極群２を備える。また、蓄電素子１は、電極群２を収容するケース３と、少なくとも一部が外部に露出した状態でケース３に取り付けられる外部端子４と、電極群２と外部端子４とを接続する集電体（集電部材）５と、を備える。また、蓄電素子１は、電極群２とケース３との間に配置される絶縁部材６等も備える。尚、各図においては、構造を示すために、電極群２を構成する電極等の厚さを誇張して表す等、電極群２の構成を模式的に表している。
【００２１】
電極群２は、図４にも示すように、第一の電極２１、及び第一の電極２１と極性の異なる第二の電極２２を有する電極体２０を複数（本実施形態の例では二つ）備える。本実施形態の第二の電極２２は、第一の短冊状部材２６を構成する。即ち、電極体２０は、第一の電極２１と、第二の電極２２を含む第一の短冊状部材２６と、を有する。本実施形態の電極群２では、第一の電極２１は負極であり、第二の電極２２は正極である。
【００２２】
各電極体２０の負極２１は、図５及び図６にも示すように、金属箔２１１と、金属箔２１１の両面のそれぞれに重ねられる負極活物質層２１２と、をそれぞれ有する。即ち、各負極２１は、一つの金属箔２１１と一対の負極活物質層２１２とを有する。本実施形態の金属箔２１１は、例えば、銅箔である。この負極２１は、長尺な帯状であり、少なくとも一つの折り返し部２４を有する。詳しくは、以下の通りである。
【００２３】
負極活物質層２１２は、負極活物質と、バインダーと、を有する。
【００２４】
負極活物質は、例えば、グラファイト、難黒鉛化炭素、及び易黒鉛化炭素などの炭素材、又は、ケイ素（Ｓｉ）及び錫（Ｓｎ）などのリチウムイオンと合金化反応を生じる材料である。本実施形態の負極活物質は、グラファイトである。
【００２５】
負極活物質層２１２に用いられるバインダーは、例えば、ポリフッ化ビニリデン（ＰＶＤＦ）、エチレンとビニルアルコールとの共重合体、ポリメタクリル酸メチル、ポリエチレンオキサイド、ポリプロピレンオキサイド、ポリビニルアルコール、ポリアクリル酸、ポリメタクリル酸、スチレンブタジエンゴム（ＳＢＲ）である。本実施形態のバインダーは、ポリフッ化ビニリデンである。
【００２６】
負極活物質層２１２は、ケッチェンブラック（登録商標）、アセチレンブラック、黒鉛等の導電助剤をさらに有してもよい。本実施形態の負極活物質層２１２は、導電助剤を有していない。
【００２７】
この負極２１は、本体（電極本体）２１０と、本体２１０から延びる負極タブ（集電タブ）２４５と、を有する。より具体的に、負極２１は、つづら折り状態に折り畳まれた長尺帯状の本体２１０と、本体２１０の長辺（幅方向（短手方向）の端縁）２１０Ａから該本体２１０と離れる方向（幅方向）に延びる少なくとも一つの負極タブ２４５と、を有する（図６参照）。本実施形態の本体２１０は、図７及び図８にも示すように、略平板状の平坦部２４３と、本体２１０の幅方向に延びる旋回軸Ｓ周りに湾曲（方向転換）しているターン部２４４とが交互に配置されることによってつづら折り状態となっている。この本体２１０では、互いに対向する一対の平坦部２４３と、一対の平坦部２４３の端部同士を接続するターン部２４４とによって折り返し部２４が構成されている。詳しくは、以下の通りである。
【００２８】
折り返し部２４は、谷折り側の面である第一の面２４１及び山折り側の面（即ち、第一の面２４１と反対側の面）である第二の面２４２をそれぞれ有し且つ第一の面２４１同士を対向させた一対の平坦部２４３と、一対の平坦部２４３の端部同士を接続するターン部２４４と、を含む。本実施形態の負極２１は、ターン部２４４を反対に向けた状態で隣り合う折り返し部２４（後述する第一の折り返し部２４Ａと第二の折り返し部２４Ｂ）同士がその一部（平坦部２４３）を共通させた状態で連続するつづら折り状態（蛇腹状態）である。
【００２９】
換言すると、負極２１は、所定の方向（図７の左右方向）の一方側が開放されるように折り返された折り返し部（第一の折り返し部）２４Ａと、所定の方向の他方側が開放されるように折り返された折り返し部（第二の折り返し部）２４Ｂとが交互に配置されたつづら折り状態である。そして、一つの折り返し部（第一の折り返し部）２４Ａに着目したときに、第一の折り返し部２４Ａと、その隣（図７における後ろ側）の折り返し部（第二の折り返し部）２４Ｂとでは、第一の折り返し部２４Ａのターン部である第一のターン部２４４Ａと、第二の折り返し部２４Ｂのターン部である第二のターン部２４４Ｂとの間の平坦部２４３Ａ、２４３Ｂを共通させている。
【００３０】
この場合、図７に示すように、第一の折り返し部２４Ａに着目したときの平坦部２４３Ａでは、第一の折り返し部２４Ａにおける谷折り面側の面が第一の面２４１Ａであり、その反対側の面（山折り側の面）が第二の面２４２Ａである。一方、第二の折り返し部２４Ｂに着目したときの平坦部２４３Ｂ（第一の折り返し部２４Ａの平坦部２４３Ａと共通させた平坦部２４３Ｂ）では、第二の折り返し部２４Ｂにおける谷折り面側の面が第一の面２４１Ｂであり、その反対側の面（山折り側の面）が第二の面２４２Ｂである。即ち、第一の折り返し部２４Ａと第二の折り返し部２４Ｂとで共通させている平坦部２４３Ａ、２４３Ｂでは、第一の折り返し部２４Ａに着目したときと、第二の折り返し部２４Ｂに着目したときとで、第一の面（折り返し部２４において向かい合う面）２４１と第二の面（折り返し部において反対方向を向く面）２４２とが逆になる。
【００３１】
具体的には、図７に示すように、各負極２１において、帯状の本体２１０が長尺方向において所定間隔で交互に折り返されることによって、平坦部２４３とターン部２４４とが交互に形成されている。即ち、長尺帯状の本体２１０が、図６に示す長手方向に所定間隔で交互に設定された山折り線２１Ａの位置と谷折り線２１Ｂの位置とで山折りと谷折りとが交互に繰り返されることによって、つづら折り状態となる。これにより、負極２１（本体２１０）は、複数の平坦部２４３と複数のターン部２４４とを有し、複数の平坦部２４３のそれぞれは、平行若しくは略平行に並び、複数のターン部２４４（第一のターン部２４４Ａ、第二のターン部２４４Ｂ）のそれぞれは、隣り合う平坦部２４３の前記長尺方向の一端側の端部同士と他端側の端部同士とを交互に接続している。
【００３２】
以下では、平坦部２４３が並ぶ方向を直交座標系におけるＸ軸方向とし、平坦部２４３に対してターン部２４４が配置されている方向（図７における左右方向）を直交座標系におけるＹ軸方向とし、ターン部２４４の旋回軸Ｓの延びる方向（図７参照）を直交座標系におけるＺ軸方向とする。
【００３３】
複数の平坦部２４３のそれぞれは、図５、図７、及び図８に示すように、矩形状である。本実施形態の平坦部２４３は、Ｙ軸方向に長い矩形状である。平坦部２４３の両面の全域が負極活物質層２１２に覆われている。
【００３４】
負極タブ２４５は、平坦部２４３の矩形状の輪郭を構成する一辺から突出する（本実施形態の例では、Ｚ軸方向の端縁からＺ軸方向に延びる）。負極タブ２４５は、金属箔２１１を露出させている。即ち、負極タブ２４５は、金属箔２１１のみによって構成されており、負極活物質層２１２を有していない。
【００３５】
つづら折り状態の負極２１において、各平坦部２４３から延びる負極タブ２４５は、Ｘ軸方向から見て重なっている。本実施形態の負極２１では、各負極タブ２４５は、平坦部２４３のＺ軸方向の一方（図７における上側）の端縁からＺ軸方向に延びている。この複数の平坦部２４３のそれぞれから延びている負極タブ２４５は、束ねられ、集電体５に接続されている（図３参照）。これにより、負極タブ２４５の束は、集電体５を介して外部端子４と接続される。本実施形態の負極タブ２４５の束は、溶接によって集電体５に接続されている。
【００３６】
複数のターン部２４４のそれぞれは、つづら折り状態の負極２１において、Ｚ軸方向に延びる軸を旋回軸Ｓ（図７及び図８参照）として帯状の本体２１０が旋回（方向転換）している（換言すると、旋回軸Ｓ周りに湾曲している）部位である。ターン部２４４においても、金属箔２１１の両面が負極活物質層２１２に覆われている。即ち、ターン部２４４において、金属箔２１１のターン部２４４の内側（第一の短冊状部材２６側）を向いた面に、負極活物質層２１２が重ねられている。また、ターン部２４４において、金属箔２１１の外側を向いた面（ターン部２４４の外側を向いた面）にも、負極活物質層２１２が重ねられている。
【００３７】
第一の短冊状部材２６は、図５に示すように、各折り返し部２４の内側（詳しくは、折り返し部２４を構成する一対の平坦部２４３の間）に配置される。即ち、本実施形態の電極体２０は、複数（負極２１の折り返し部２４の数に対応する数）の第一の短冊状部材２６を有する。これら複数の第一の短冊状部材２６のそれぞれは、正極２２とセパレータ２８とを有する。本実施形態の電極体２０では、全ての第一の短冊状部材２６の構成が同じである。
【００３８】
正極２２は、図４及び図５にも示すように、金属箔２２１と、金属箔２２１の両面のそれぞれに重ねられる正極活物質層２２２と、を有する。即ち、正極２２は、一つの金属箔２２１と一対の正極活物質層２２２とを有する。本実施形態の金属箔２２１は、例えば、アルミニウム箔である。この正極２２は、つづら折り状態の負極２１において、各折り返し部２４の一対の平坦部２４３間のそれぞれに配置されている。このため、本実施形態の電極体２０は、複数の正極２２を有している。
【００３９】
正極活物質層２２２は、正極活物質と、バインダーと、を有する。
【００４０】
本実施形態の正極活物質は、例えば、リチウム金属酸化物である。具体的に、正極活物質は、例えば、ＬｉａＭｅｂＯｃ（Ｍｅは、１又は２以上の遷移金属を表す）によって表される複合酸化物（ＬｉａＣｏｙＯ２、ＬｉａＮｉｘＯ２、ＬｉａＭｎｚＯ４、ＬｉａＮｉｘＣｏｙＭｎｚＯ２等）、ＬｉａＭｅｂ（ＸＯｃ）ｄ（Ｍｅは、１又は２以上の遷移金属を表し、Ｘは例えばＰ、Ｓｉ、Ｂ、Ｖを表す）によって表されるポリアニオン化合物（ＬｉａＦｅｂＰＯ４、ＬｉａＭｎｂＰＯ４、ＬｉａＭｎｂＳｉＯ４、ＬｉａＣｏｂＰＯ４Ｆ等）である。本実施形態の正極活物質は、ＬｉＮｉ１／３Ｃｏ１／３Ｍｎ１／３Ｏ２である。
【００４１】
正極活物質層２２２に用いられるバインダーは、負極活物質層２１２に用いられたバインダーと同様のものである。本実施形態のバインダーは、ポリフッ化ビニリデンである。
【００４２】
正極活物質層２２２は、ケッチェンブラック（登録商標）、アセチレンブラック、黒鉛等の導電助剤をさらに有してもよい。本実施形態の正極活物質層２２２は、導電助剤としてアセチレンブラックを有する。
【００４３】
具体的に、複数の正極２２のそれぞれは、図９にも示すように、矩形状の正極本体２２３と、正極本体２２３の矩形状の輪郭を構成する一辺から突出する（本実施形態の例では、Ｚ軸方向の端縁からＺ軸方向に延びる）正極タブ２２４と、を有する。本実施形態の正極本体２２３は、Ｙ軸方向に長い矩形状である。正極本体２２３では、金属箔２２１の両面の全域が正極活物質層２２２に覆われ、正極タブ２２４では、金属箔２２１が露出している。即ち、正極タブ２２４は、正極活物質層２２２を有しない。
【００４４】
正極本体２２３における正極活物質層２２２は、Ｘ軸方向に対向する（詳しくは、セパレータ２８を介して対向する）平坦部２４３の負極活物質層２１２よりＺ軸方向において小さい。また、正極本体２２３の正極活物質層２２２は、全域において平坦部２４３の負極活物質層２１２と対向している。
【００４５】
電極体２０において、各正極２２の正極タブ２２４は、Ｘ軸方向から見て重なっている。本実施形態の正極２２では、各正極タブ２２４は、正極本体２２３のＺ軸方向の一方（図４における上側）の端縁におけるＹ軸方向の他方（正極本体２２３に対する負極タブ２４５の位置とは反対側：図４における左側）の端部からＺ軸方向に延びている。この複数の正極本体２２３のそれぞれから延びている正極タブ２２４は、束ねられ、集電体５を介して外部端子４と接続されている（図３参照）。本実施形態の正極タブ２２４の束は、負極タブ２４５の束と同様に、集電体５に溶接されている。尚、異なる電極体２０（異なる負極２１の各折り返し部２４の内側）に配置される正極２２の正極タブ２２４同士も、一緒に束ねられる。
【００４６】
セパレータ２８は、絶縁性を有する部材であり、負極２１と正極２２との間に配置される。これにより、電極体２０において、負極２１と正極２２とが互いに絶縁される。また、セパレータ２８は、ケース３内において、電解液を保持する。これにより、蓄電素子１の充放電時において、セパレータ２８を挟んで対向する負極２１と正極２２との間を、リチウムイオンが移動可能となる。
【００４７】
このセパレータ２８は、帯状であり、例えば、ポリエチレン、ポリプロピレン、セルロース、ポリアミドなどの多孔質膜によって構成される。本実施形態のセパレータ２８は、ＳｉＯ２粒子、Ａｌ２Ｏ３粒子、ベーマイト（アルミナ水和物）等の無機粒子を含んだ無機層を、多孔質膜によって形成された基材の上に設けることで形成されている。本実施形態のセパレータ２８の基材は、例えば、ポリエチレンによって形成される。
【００４８】
本実施形態の第一の短冊状部材２６において、セパレータ２８は、正極２２を覆っている。具体的に、セパレータ２８は、正極本体２２３全体をＸ軸方向に挟み込むように覆っている。このセパレータ２８は、図４及び図９に示すように、矩形状のものを、間に正極２２を挟み込むようにして長尺方向の中央部で折り返し、正極２２の周囲（各縁部）を接合（接着、溶着等）されている。このとき、正極タブ２２４は、折り返されたセパレータ２８から突出し（図４参照）、前記接合は、正極タブ２２４を避けて行われている。この正極２２を挟み込んだ状態のセパレータ２８は、Ｘ軸方向から見て矩形状である。
【００４９】
それぞれが以上のように構成される複数の電極体２０は、Ｘ軸方向に並んでいる（図４参照）。これにより、複数の電極体２０の各負極２１における全ての平坦部２４３は、互いに平行若しくは略平行な状態でＸ軸方向に並ぶ。
【００５０】
また、複数の電極体２０の負極２１同士は、接合部（本実施形態の例では、負極タブ２４５：図３参照）において直接又は間接に電気的に接続されている。具体的に、電極群２では、各電極体２０の負極２１毎に、負極タブ２４５のＹ軸方向の位置が異なっている。これにより、負極タブ２４５は、当該負極タブ２４５を含む電極体２０（負極２１）と異なる電極体２０（負極２１）の負極タブ２４５とは非接触状態で集電体５に接続される。即ち、異なる電極体２０の負極２１の負極タブ２４５同士は、互いに非接触状態で集電体５に接続される（図３参照）。
【００５１】
本実施形態の電極群２は、第三の電極２３を含む第二の短冊状部材２７も有する。第三の電極２３の極性は、第二の電極２２の極性と同じであり、本実施形態の第三の電極２３は、正極である。
【００５２】
第二の短冊状部材２７は、図４に示すように、Ｘ軸方向に隣り合う電極体２０の間（つづら折り状態の負極２１同士の間）に配置される。本実施形態の第二の短冊状部材２７は、第一の短冊状部材２６と同じ構成である。即ち、第二の短冊状部材２７は、図９にも示すように、正極２３とセパレータ２８とを有する。正極２３は、金属箔と、金属箔の両面のそれぞれに重ねられる正極活物質層と、を有する。この正極２３は、矩形状の正極本体２２３と、正極本体２２３の矩形状の輪郭を構成する一辺から突出する（本実施形態の例では、Ｚ軸方向の端縁からＺ軸方向に延びる）正極タブ２２４と、を有する。そして、セパレータ２８が、正極２３の正極本体２２３全体をＸ軸方向に挟み込むように覆うことで、第二の短冊状部材２７が構成されている。
【００５３】
図１〜図３に戻り、ケース３は、開口を有するケース本体３１と、ケース本体３１の開口を塞ぐ（閉じる）蓋板３２と、を有する。このケース３では、ケース本体３１と蓋板３２とによって内部空間が画定される。ケース３は、この内部空間に、電極群２と共に電解液を収容する。
【００５４】
この電解液は、非水溶液系電解液である。この電解液は、有機溶媒に電解質塩を溶解させることによって得られる。有機溶媒は、例えば、プロピレンカーボネート及びエチレンカーボネートなどの環状炭酸エステル類、ジメチルカーボネート、ジエチルカーボネート、及びエチルメチルカーボネートなどの鎖状カーボネート類である。電解質塩は、ＬｉＣｌＯ４、ＬｉＢＦ４、及びＬｉＰＦ６等である。本実施形態の電解液は、プロピレンカーボネート、ジメチルカーボネート、及びエチルメチルカーボネートを、プロピレンカーボネート：ジメチルカーボネート：エチルメチルカーボネート＝３：２：５の割合で調整した混合溶媒に、１ｍｏｌ／ＬのＬｉＰＦ６を溶解させたものである。
【００５５】
ケース３は、上記の電解液に耐性を有する金属によって形成される。本実施形態のケース３は、例えば、アルミニウム、又は、アルミニウム合金等のアルミニウム系金属材料によって形成される。
【００５６】
ケース本体３１は、板状の閉塞部３１１と、閉塞部３１１の周縁に接続される筒状の胴部（周壁）３１２と、を備える。
【００５７】
閉塞部３１１は、ケース本体３１が開口を上に向けた姿勢で配置されたときにケース本体３１の下端に位置する（即ち、前記開口が上を向いたときのケース本体３１の底壁部となる）部位である。本実施形態の閉塞部３１１は、矩形状である。
【００５８】
胴部３１２は、角筒形状、より詳しくは、偏平な角筒形状を有する。胴部３１２は、閉塞部３１１の周縁における長辺から延びる一対の長壁部３１３と、閉塞部３１１の周縁における短辺から延びる一対の短壁部３１４とを有する。短壁部３１４が一対の長壁部３１３の対応（詳しくは、Ｘ軸方向に対向）する端部同士をそれぞれ接続することによって、角筒状の胴部３１２が形成される。
【００５９】
以上のように、ケース本体３１は、開口方向（Ｚ軸方向）における一方の端部が塞がれた角筒形状（即ち、有底角筒形状）を有する。
【００６０】
蓋板３２は、ケース本体３１の開口を塞ぐ部材である。この蓋板３２の輪郭形状は、ケース本体３１の開口周縁部３１０（図２参照）に対応した形状である。即ち、蓋板３２は、Ｙ軸方向に長い矩形状の板材である。
【００６１】
以上のように構成されるケース３には、Ｘ軸方向に隣り合う電極体２０同士の間に第二の短冊状部材２７を挟み込んだ状態で複数の電極体２０が束ねられ（積層され）、各電極体２０の負極２１における平坦部２４３のそれぞれが長壁部３１３と平行（略平行）となる（即ち、各電極体２０の負極２１におけるターン部２４４が短壁部３１４と対向する）ように、絶縁部材６に覆われた状態の電極群２が収容される（図２及び図３参照）。このとき、各電極体２０の負極２１における折り返し部２４の内側には第一の短冊状部材２６が配置され、ケース３は電極群２の全体をＸ軸方向に圧迫（押圧）した状態で該電極群２を収容する。
【００６２】
外部端子４は、他の蓄電素子の外部端子又は外部機器等と電気的に接続される部位である。このため、外部端子４は、導電性を有する部材によって形成される。また、外部端子４は、溶接性の高い金属材料によって形成される。例えば、正極の外部端子４は、アルミニウム又はアルミニウム合金等のアルミニウム系金属材料によって形成され、負極の外部端子４は、銅又は銅合金等の銅系金属材料によって形成される。本実施形態の外部端子４は、少なくとも一部がケース３の外部に露出した状態で蓋板３２に取り付けられる。
【００６３】
絶縁部材６は、絶縁性を有する樹脂によって形成されている。具体的に、絶縁部材６は、図２及び図３に示すように、所定の形状に裁断された絶縁性を有するシート状の部材を折り曲げることによって袋状に形成されている。本実施形態の絶縁部材６は、ケース３に沿った形の袋状である。
【００６４】
以上の蓄電素子１によれば、電極群２が複数の電極体２０を有し、複数の電極体２０における負極２１同士が接合部（本実施形態の例では、負極タブ２４５）において直接又は間接に接続されているため、電極群が電極体（負極）を一つだけ有する構成（前記複数の電極体の各負極２１が一体に繋がっている構成）に比べ、各電極体２０の負極２１が小さく（短く）なる。また、複数の電極体２０の各負極２１同士が直接又は間接に接続されたことに起因する抵抗（接触抵抗等）が接合部において生じている。よって、複数の電極体２０のいずれかにおいて負極２１（折り返し部２４の負極２１）と第一の短冊状部材２６の正極２２との間で短絡が生じても、短絡箇所において流れる電流の電流値が抑えられる。
【００６５】
本実施形態の蓄電素子１では、第二の短冊状部材２７が、Ｘ軸方向に隣り合う電極体２０（負極２１）間に配置されている。このように、蓄電素子１において、隣り合う電極体２０（負極２１）間に第一の短冊状部材２６の電極（正極２２）と同じ極性の電極（正極２３）を含む第二の短冊状部材２７が配置されることで、隣り合う電極体２０（負極２１）のそれぞれにおける相手側部材（他方の電極体２０（負極２１））と対向する部位を蓄電素子１の充放電に寄与させることができる。即ち、隣り合う電極体２０の負極２１のうちの一方の電極体２０の負極２１における相手側部材（他方の電極体の負極２１）と対向する部位、及び他方の電極体２０の負極２１における相手側部材（一方の電極体２０の負極２１）と対向する部位のそれぞれを、蓄電素子１の充放電に寄与させることができる。これにより、蓄電素子１のエネルギー密度をより向上させることができる。
【００６６】
また、本実施形態の蓄電素子１では、各電極体２０における負極２１の負極タブ２４５は、当該負極タブ２４５を含む電極体２０（負極２１）と異なる電極体２０（負極２１）の負極タブ２４５とは非接触状態で集電体５に接続されている（図３参照）。このように、異なる電極体２０の負極２１同士が、集電体５を介して間接的に導通することで、異なる電極体２０の負極２１間に複数の接触抵抗（本実施形態の例では、少なくとも、一方の電極体２０の負極２１と集電体５との間の接触抵抗と、他方の電極体２０の負極２１と集電体５との間の接触抵抗の二つの接触抵抗）が存在することとなる。このため、複数の電極体２０のいずれかにおいて負極２１（折り返し部２４の負極２１）と第一の短冊状部材２６の正極２２との間で短絡が生じても、異なる電極体２０の負極２１同士が負極タブ２４５等で直接導通する構成（異なる電極体２０の負極２１間の接触抵抗が一つの場合）に比べ、短絡箇所において流れる電流の電流値が抑えられる。
【００６７】
また、本実施形態の蓄電素子１では、短冊状の部材（第一の短冊状部材２６、第二の短冊状部材２７）において、正極２２、２３が周囲をセパレータ２８によって囲まれている。換言すると、正極２２、２３全体がセパレータ２８によって包み込まれている。このため、内部短絡等によって発生した熱が前記短冊状の部材２６、２７に加わってセパレータ２８が収縮等しても、内部の正極２２、２３が外部に露出し難く、これにより、前記収縮等によって正極２２、２３が露出することによる新たな内部短絡を防ぐことができる。
【００６８】
また、本実施形態の蓄電素子１では、一つの負極をつづら折りにして電極体を形成する場合に比べて各電極体２０における負極２１が小さく（短く）、これにより、つづら折り状態の負極２１のそれぞれにおいて折り返し回数（ターン部２４４の数）が少なくなって積層ずれ等が生じ難くなる。このため、これらつづら折り状態の複数の負極２１を含む複数の電極体２０を束ねてケース３に収納する際に収納し易い。
【００６９】
尚、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００７０】
上記実施形態の電極群２では、第一の短冊状部材２６と第二の短冊状部材２７とがセパレータ２８を含んでいるが、この構成に限定されない。各電極体２０において負極２１がセパレータ２８に挟み込まれる構成でもよい。具体的には、例えば、長尺な負極２１が長尺な一対のセパレータ２８に挟み込まれるように重ねられて長尺部材が形成される。そして、この長尺部材がつづら折り状態に折り畳まれ、各折り返し部の内側、及び、折り畳まれた状態の二つの長尺部材間に、正極２２、２３が配置され、電極群２が構成される。
【００７１】
上記実施形態の電極群２では、複数の電極体２０の負極２１毎に、Ｙ軸方向の異なる位置に負極タブ２４５が配置されているが、この構成に限定されない。各電極体２０の負極２１において、Ｙ軸方向の同じ位置に負極タブ２４５が配置されていてもよい。この場合、異なる電極体２０の負極２１における負極タブ２４５は、一緒に束ねられて集電体５に接続される。即ち、複数の電極体２０の負極２１同士が電気的に接続される接合部は、異なる電極体２０（負極２１）の負極タブ２４５同士が直接接続される構成でもよい。かかる構成によっても、一つの電極体２０の負極２１における負極タブ２４５と、他の電極体２０の負極２１における負極タブ２４５との間に接触抵抗があるため、電極群が負極を一つだけ有する構成（即ち、複数の電極体２０の各負極２１が一続きになっている構成）に比べ、負極２１（複数の電極体２０のうちの一つの電極体２０における負極２１）と正極２２との間で短絡が生じても、短絡箇所において流れる電流の電流値が抑えられる。
【００７２】
また、上記実施形態の電極体２０では、一方の電極（上記実施形態の例では負極２１）がつづら折り状態であるが、この構成に限定されない。電極体２０において、一方の電極が少なくとも一つの折り返し部２４を有していればよい。例えば図１０に示すように、複数の電極体２０のそれぞれにおいて、負極２１が一つの折り返し部２４のみを有する構成でもよい。
【００７３】
また、上記実施形態の電極群２は、二つの電極体２０を有するが、三つ以上の電極体２０を有していてもよい。この場合、第二の短冊状部材２７は、全ての電極体２０間に配置されてもよく、一部の電極体２０間に配置されてもよい。また、電極群２は、第二の短冊状部材２７を有しない構成であってもよい。
【００７４】
上記実施形態の電極群２では、第一の電極が負極２１であり、第二の電極が正極２２であり、第三の電極が正極２３であるが、この構成に限定されない。第一の電極が正極であり、第二の電極及び第三の電極が負極であってもよい。
【００７５】
また、上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【００７６】
蓄電素子（例えば電池）１は、図１１に示すような蓄電装置（蓄電素子が電池の場合は電池モジュール）１１に用いられてもよい。蓄電装置１１は、少なくとも二つの蓄電素子１と、二つの（異なる）蓄電素子１同士を電気的に接続するバスバ部材１２と、を有する。この場合、本発明の技術が少なくとも一つの蓄電素子１に適用されていればよい。
【符号の説明】
【００７７】
１…蓄電素子、２…電極群、２０…電極体、２１…負極（第一の電極）、２１Ａ…山折り線、２１Ｂ…谷折り線、２１０…本体、２１１…金属箔、２１２…負極活物質層、２２…正極（第二の電極）、２２１…金属箔、２２２…正極活物質層、２２３…正極本体、２２４…正極タブ、２３…正極（第三の電極）、２４…折り返し部、２４Ａ…第一の折り返し部、２４Ｂ…第二の折り返し部、２４１、２４１Ａ、２４１Ｂ…第一の面、２４２、２４２Ａ、２４２Ｂ…第二の面、２４３、２４３Ａ、２４３Ｂ…平坦部、２４４…ターン部、２４４Ａ…第一のターン部、２４４Ｂ…第二のターン部、２４５…負極タブ、２６…第一の短冊状部材、２７…第二の短冊状部材、２８…セパレータ、３…ケース、３１…ケース本体、３１０…開口周縁部、３１１…閉塞部、３１２…胴部、３１３…長壁部、３１４…短壁部、３２…蓋板、４…外部端子、５…集電体、６…絶縁部材、１１…蓄電装置、１２…バスバ部材、５００…電池、５０１…負極電極板（長尺電極板）、５０２…銅箔、５０３…負極活物質層、５０４…正極電極板（短冊状電極板）、５０５…アルミニウム箔、５０６…正極活物質層、５０７…セパレータ、５０８…一体長尺物、Ｓ…旋回軸
【図１】
2019096465.tif 000003
【図２】
2019096465.tif 000004
【図３】
2019096465.tif 000005
【図４】
2019096465.tif 000006
【図５】
2019096465.tif 000007
【図６】
2019096465.tif 000008
【図７】
2019096465.tif 000009
【図８】
2019096465.tif 000010
【図９】
2019096465.tif 000011
【図１０】
2019096465.tif 000012
【図１１】
2019096465.tif 000013
【図１２】
2019096465.tif 000014